(57)【要約】      （修正有）【課題】燃料電池装置と貯湯装置からなる機器を適切に制御することを可能とする管理システム、管理方法、制御装置及び給湯システムを提供する。【解決手段】燃料を用いて電力を発電する燃料電池装置１５０と、燃料を用いて湯を生成或いは水温を維持する貯湯装置１６０と、前記燃料電池装置及び前記貯湯装置と通信を行う制御装置２００とを有する管理システムであって、前記制御装置２００は、前記燃料電池装置１５０の燃料使用量を示すメッセージと前記貯湯装置１６０の燃料使用量を示すメッセージとを別々のフォーマットで受信する。【選択図】図２
2014032940.tif 000002
【特許請求の範囲】
【請求項１】
燃料を用いて電力を発電する燃料電池装置と、燃料を用いて湯を生成或いは水温を維持する貯湯装置と、前記燃料電池装置及び前記貯湯装置と通信を行う制御装置とを有する管理システムであって、
前記制御装置は、前記燃料電池装置の燃料使用量を示すメッセージと前記貯湯装置の燃料使用量を示すメッセージとを別々のフォーマットで受信することを特徴とする管理システム。
【請求項２】
前記制御装置は、前記燃料電池装置の燃料使用量を示すメッセージ及び前記貯湯装置の燃料使用量を示すメッセージの受信に先立って、前記燃料電池装置の燃料使用量を示すメッセージ及び前記貯湯装置の燃料使用量を示すメッセージを送信する機能の有無を示すメッセージを受信することを特徴とする請求項１に記載の管理システム。
【請求項３】
前記貯湯装置は、前記燃料電池装置の排熱を用いて湯を貯留することを特徴とする請求項１に記載の管理システム。
【請求項４】
前記燃料電池装置及び前記貯湯装置は、給湯ユニットの少なくとも一部を構成しており、
前記制御装置は、前記燃料電池装置の燃料使用量を示すメッセージと前記貯湯装置の燃料使用量を示すメッセージとを別々のフォーマットで前記給湯ユニットから受信することを特徴とする請求項２に記載の管理システム。
【請求項５】
前記燃料電池装置の燃料使用量を示すメッセージ及び前記貯湯装置の燃料使用量を示すメッセージは、前記燃料電池装置の燃料使用量及び前記貯湯装置の燃料使用量の合算値を示すメッセージとは別に定義されることを特徴とする請求項１に記載の管理システム。
【請求項６】
前記制御装置は、前記燃料電池装置の燃料使用量を示すメッセージ及び前記貯湯装置の燃料使用量を示すメッセージを送信する機能が設けられていない場合に、前記燃料電池装置の燃料使用量及び前記貯湯装置の燃料使用量の合算値を示すメッセージを受信することを特徴とする請求項５に記載の管理システム。
【請求項７】
燃料を用いて電力を発電する燃料電池装置と、燃料を用いて湯を生成或いは水温を維持する貯湯装置と、前記燃料電池装置及び前記貯湯装置と通信を行う制御装置とを有する管理システムで用いる管理方法であって、
前記燃料電池装置の燃料使用量を示すメッセージと前記貯湯装置の燃料使用量を示すメッセージとを別々のフォーマットで前記制御装置が受信するステップを備えることを特徴とする管理方法。
【請求項８】
燃料を用いて電力を発電する燃料電池装置及び湯を生成或いは水温を維持する貯湯装置と通信を行う制御装置であって、
前記燃料電池装置の燃料使用量を示すメッセージと前記貯湯装置の燃料使用量を示すメッセージとを別々のフォーマットで受信する受信部を備えることを特徴とする制御装置。
【請求項９】
燃料を用いて電力を発電する燃料電池装置と、湯を生成或いは水温を維持する貯湯装置とを備える給湯システムであって、
前記燃料電池装置及び前記貯湯装置と通信を行う制御装置に対して、前記燃料電池装置の燃料使用量を示すメッセージと前記貯湯装置の燃料使用量を示すメッセージとを別々のフォーマットで送信する送信部を備えることを特徴とする給湯システム。
【発明の詳細な説明】
【技術分野】
【０００１】
本発明は、燃料を用いて電力を発電する燃料電池装置と、燃料電池装置と通信を行う制御装置とを有する管理システム、管理方法、制御装置及び給湯システムに関する。
【背景技術】
【０００２】
近年、複数の機器と、複数の機器を制御する制御装置とを有する電力管理システムが提案されている（例えば、特許文献１）。複数の機器は、例えば、エアーコンディショナー、照明装置などの家電機器、及び、太陽電池、蓄電池、燃料電池装置などの分散電源である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。
【０００３】
上述した管理システムの普及には、複数の機器と制御装置との間のメッセージフォーマットを共通化することが効果的であり、このようなメッセージフォーマットの共通化が試みられている。
【先行技術文献】
【特許文献】
【０００４】
【特許文献１】特開２０１０−１２８８１０号公報
【発明の概要】
【発明が解決しようとする課題】
【０００５】
上述したメッセージフォーマットの共通化は端緒についたばかりであり、機器を適切に制御するためのメッセージフォーマットについては、様々な検討が必要である。
【０００６】
そこで、本発明は、上述した課題を解決するためになされたものであり、機器を適切に制御することを可能とする管理システム、管理方法、制御装置及び給湯システムを提供することを目的とする。
【課題を解決するための手段】
【０００７】
第１の特徴に係る管理システムは、燃料を用いて電力を発電する燃料電池装置と、燃料を用いて湯を生成或いは水温を維持する貯湯装置と、前記燃料電池装置及び前記貯湯装置と通信を行う制御装置とを有する。前記制御装置は、前記燃料電池装置の燃料使用量を示すメッセージと前記貯湯装置の燃料使用量を示すメッセージとを別々のフォーマットで受信する。
【０００８】
第１の特徴において、前記制御装置は、前記燃料電池装置の燃料使用量を示すメッセージ及び前記貯湯装置の燃料使用量を示すメッセージの受信に先立って、前記燃料電池装置の燃料使用量を示すメッセージ及び前記貯湯装置の燃料使用量を示すメッセージを送信する機能の有無を示すメッセージを受信する。
【０００９】
第１の特徴において、前記貯湯装置は、前記燃料電池装置の排熱を用いて湯を生成或いは水温を維持する。
【００１０】
第１の特徴において、前記燃料電池装置及び前記貯湯装置は、給湯ユニットの少なくとも一部を構成する。前記制御装置は、前記燃料電池装置の燃料使用量を示すメッセージと前記貯湯装置の燃料使用量を示すメッセージとを別々のフォーマットで前記給湯ユニットから受信する。
【００１１】
第１の特徴において、前記燃料電池装置の燃料使用量を示すメッセージ及び前記貯湯装置の燃料使用量を示すメッセージは、前記燃料電池装置の燃料使用量及び前記貯湯装置の燃料使用量の合算値を示すメッセージとは別に定義される。
【００１２】
第１の特徴において、前記制御装置は、前記燃料電池装置の燃料使用量を示すメッセージ及び前記貯湯装置の燃料使用量を示すメッセージを送信する機能が設けられていない場合に、前記燃料電池装置の燃料使用量及び前記貯湯装置の燃料使用量の合算値を示すメッセージを受信する。
【００１３】
第２の特徴に係る管理方法は、燃料を用いて電力を発電する燃料電池装置と、燃料を用いて湯を生成或いは水温を維持する貯湯装置と、前記燃料電池装置及び前記貯湯装置と通信を行う制御装置とを有する管理システムで用いる方法である。管理方法は、前記燃料電池装置の燃料使用量を示すメッセージと前記貯湯装置の燃料使用量を示すメッセージとを別々のフォーマットで前記制御装置が受信するステップを備える。
【００１４】
第３の特徴に係る制御装置は、燃料を用いて電力を発電する燃料電池装置及び燃料を用いて湯を生成或いは水温を維持する貯湯装置と通信を行う。制御装置は前記燃料電池装置の燃料使用量を示すメッセージと前記貯湯装置の燃料使用量を示すメッセージとを別々のフォーマットで受信する受信部を備える。
【００１５】
第４の特徴に係る給湯システムは、燃料を用いて電力を発電する燃料電池装置と、燃料を用いて湯を生成或いは水温を維持する貯湯装置とを備える。給湯システムは、前記燃料電池装置及び前記貯湯装置と通信を行う制御装置に対して、前記燃料電池装置の燃料使用量を示すメッセージと前記貯湯装置の燃料使用量を示すメッセージとを別々のフォーマットで送信する送信部を備える。
【発明の効果】
【００１６】
本発明によれば、機器を適切に制御することを可能とする管理システム、管理方法、制御装置及び給湯システムを提供することができる。
【図面の簡単な説明】
【００１７】
【図１】図１は、第１実施形態に係るエネルギー管理システム１００を示す図である。
【図２】図２は、第１実施形態に係る需要家１０を示す図である。
【図３】図３は、第１実施形態に係る燃料電池装置１５０を示す図である。
【図４】図４は、第１実施形態に係るネットワーク構成を示す図である。
【図５】図５は、第１実施形態に係るＥＭＳ２００を示す図である。
【図６】図６は、第１実施形態に係るメッセージフォーマットを示す図である。
【図７】図７は、第１実施形態に係るメッセージフォーマットを示す図である。
【図８】図８は、第１実施形態に係る管理方法を示すフロー図である。
【発明を実施するための形態】
【００１８】
以下において、本発明の実施形態に係る管理システムについて、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る管理システムは、燃料を用いて電力を発電する燃料電池装置と、燃料を用いて湯を生成或いは水温を維持する貯湯装置と、前記燃料電池装置及び前記貯湯装置と通信を行う制御装置とを有する。前記制御装置は、前記燃料電池装置の燃料使用量を示すメッセージと前記貯湯装置の燃料使用量を示すメッセージとを別々のフォーマットで受信する。
【００２１】
実施形態では、燃料電池装置の燃料使用量を示すメッセージと貯湯装置の燃料使用量を示すメッセージとが別々のフォーマットで定義されている。従って、機器の消費エネルギーの可視化において、有用な情報を制御装置が収集することができる。また、燃料電池装置及び貯湯装置の制御において、有用な情報を制御装置が収集することができる。
【００２２】
［第１実施形態］
（エネルギー管理システム）
以下において、第１実施形態に係るエネルギー管理システムについて説明する。図１は、第１実施形態に係るエネルギー管理システム１００を示す図である。
【００２３】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２４】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２５】
需要家１０は、一戸建ての住宅であってもよく、マンションなどの集合住宅であってもよい。或いは、需要家１０は、コンビニエンスストア又はスーパーマーケットなどの店舗であってもよく、ビルなどの商用施設であってもよく、工場であってもよい。
【００２６】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２７】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００２８】
第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００２９】
変電所３０は、複数の需要家１０に対して、配電線３１を介して電力を供給する。具体的には、変電所３０は、発電所５０から供給を受ける電圧を降圧する。
【００３０】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３１】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３２】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３３】
ネットワーク６０は、信号線を介して各装置に接続される。ネットワーク６０は、例えば、インターネット、広域回線網、狭域回線網、携帯電話網などである。
【００３４】
（需要家）
以下において、第１実施形態に係る需要家について説明する。図２は、第１実施形態に係る需要家１０の詳細を示す図である。
【００３５】
図２に示すように、需要家１０は、分電盤１１０と、負荷１２０と、ＰＶ装置１３０と、蓄電池装置１４０と、燃料電池装置１５０と、貯湯装置１６０と、ＥＭＳ２００とを有する。
【００３６】
第１実施形態において、需要家１０は、電流計１８０を有する。電流計１８０は、燃料電池装置１５０の負荷追従制御に用いられる。電流計１８０は、蓄電池装置１４０及び燃料電池装置１５０と系統とを接続する電力線上において、蓄電池装置１４０と電力線との接続点よりも下流（系統から離れた側）、かつ、燃料電池装置１５０と電力線との接続点よりも上流（系統に近い側）に設けられる。電流計１８０が負荷１２０と電力線との接続点よりも上流（系統に近い側）に設けられることは勿論である。
【００３７】
第１実施形態において、各機器は、系統に近い順から見て、ＰＶ装置１３０、蓄電池装置１４０、燃料電池装置１５０及び負荷１２０の順で電力線に接続されていることに留意すべきである。
【００３８】
分電盤１１０は、配電線３１（系統）に接続されている。分電盤１１０は、電力線を介して、負荷１２０、ＰＶ装置１３０、蓄電池装置１４０及び燃料電池装置１５０に接続されている。
【００３９】
負荷１２０は、電力線を介して供給を受ける電力を消費する装置である。例えば、負荷１２０は、冷蔵庫、冷凍庫、照明、エアコンなどの装置を含む。
【００４０】
ＰＶ装置１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００４１】
第１実施形態において、ＰＶ装置１３０は、ＰＶ１３１に照射される日射量を測定する日射計を有していてもよい。
【００４２】
ＰＶ装置１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶ装置１３０は、ＰＶ１３１の動作点（動作点電圧値及び電力値によって定まる点、又は、動作点電圧値と電流値とによって定まる点）を最適化する。
【００４３】
蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４４】
燃料電池装置１５０は、燃料電池１５１と、ＰＣＳ１５２とを有する。燃料電池１５１は、発電装置の一例であり、燃料（ガス）を用いて電力を発電する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４５】
燃料電池装置１５０は、負荷追従制御によって動作する。詳細には、燃料電池装置１５０は、燃料電池１５１から出力する電力が負荷追従制御の目標電力となるように燃料電池１５１を制御する。言い換えると、燃料電池装置１５０は、電流計１８０によって検出される電流値が目標受電力となるように、燃料電池１５１から出力する電力を制御する。
【００４６】
貯湯装置１６０は、燃料（ガス）を用いて湯を生成或いは水温を維持する装置である。具体的には、貯湯装置１６０は、貯湯槽を有しており、燃料（ガス）の燃焼によって生じる熱又は燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００４７】
実施形態において、燃料電池装置１５０及び貯湯装置１６０は、給湯ユニット１７０（給湯システム）を構成することに留意すべきである。
【００４８】
ＥＭＳ２００は、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０及び貯湯装置１６０に信号線を介して接続されており、ＰＶ装置１３０、蓄電池装置１４０、燃料電池装置１５０及び貯湯装置１６０を制御する。また、ＥＭＳ２００は、負荷１２０の動作モードを制御することによって、負荷１２０の消費電力を制御する。
【００４９】
また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００５０】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力のモデルであってもよい。
【００５１】
或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００５２】
（燃料電池装置）
以下において、第１実施形態に係る燃料電池装置について説明する。図３は、第１実施形態に係る燃料電池装置１５０を示す図である。
【００５３】
図３に示すように、燃料電池装置１５０は、燃料電池１５１と、ＰＣＳ１５２と、ブロワ１５３と、脱硫器１５４と、着火ヒータ１５５と、制御基板１５６とを有する。
【００５４】
燃料電池１５１は、上述したように、燃料ガスを利用して電力を出力する装置である。具体的には、燃料電池１５１は、改質器１５１Ａと、セルスタック１５１Ｂとを有する。
【００５５】
改質器１５１Ａは、後述する脱硫器１５４によって付臭剤が除去された燃料ガスから改質ガスを生成する。改質ガスは、水素及び一酸化炭素によって構成されるガスである。
【００５６】
セルスタック１５１Ｂは、後述するブロワ１５３から供給される空気（酸素）と改質ガスとの化学反応によって発電する。具体的には、セルスタック１５１Ｂは、複数のセルがスタックされた構造を有する。各セルは、燃料極と空気極との間に電解質が挟み込まれた構造を有する。燃料極には、改質ガス（水素）が供給され、空気極には、空気（酸素）が供給される。電解質において改質ガス（水素）及び空気（酸素）の化学反応が生じて、電力（ＤＣ電力）及び熱が生成される。
【００５７】
ＰＣＳ１５２は、上述したように、燃料電池１５１から出力されたＤＣ電力をＡＣ電力に変換する装置である。
【００５８】
ブロワ１５３は、燃料電池１５１（セルスタック１５１Ｂ）に空気を供給する。ブロワ１５３は、例えば、ファンによって構成される。
【００５９】
脱硫器１５４は、外部から供給される燃料ガスに含まれる付臭剤を除去する。燃料ガスは、都市ガスであってもよく、プロパンガスであってもよい。
【００６０】
着火ヒータ１５５は、セルスタック１５１Ｂで化学反応しなかった燃料（以下、未反応燃料）に着火し、セルスタック１５１Ｂの温度を高温に維持するヒータである。すなわち、着火ヒータ１５５は、セルスタック１５１Ｂを構成する各セルの開口から漏れる未反応燃料に着火する。着火ヒータ１５５は、未反応燃料が燃焼していないケース（例えば、燃料電池装置１５０の起動時）において、未反応燃料に着火すればよいことに留意すべきである。そして、一旦着火すれば、その後は、セルスタック１５１Ｂから僅かずつ溢れ出る未反応燃料が燃焼し続けることによって、セルスタック１５１Ｂの温度が高温に維持される。
【００６１】
制御基板１５６は、燃料電池１５１、ＰＣＳ１５２、ブロワ１５３、脱硫器１５４、着火ヒータ１５５及び制御基板１５６を制御する回路を搭載する基板である。
【００６２】
第１実施形態において、セルスタック１５１Ｂは、化学反応によって発電する発電部の一例である。改質器１５１Ａ、ブロワ１５３、脱硫器１５４、着火ヒータ１５５及び制御基板１５６は、セルスタック１５１Ｂの動作を補助する補器の一例である。また、ＰＣＳ１５２の一部を補器として扱ってもよい。
【００６３】
第１実施形態において、燃料電池装置１５０の動作モードとして、発電モード、アイドリングモード、温度維持モードが設けられる。
【００６４】
発電モードは、燃料電池装置１５０に接続された負荷１２０の消費電力に追従するように燃料電池１５１（セルスタック１５１Ｂ）から出力する電力が制御される動作モード（負荷追従制御）である。詳細には、発電モードでは、電流計１８０によって検出される電流値が目標受電力となるように、燃料電池１５１から出力する電力が制御される。ここで、燃料電池装置１５０が電流計１８０よりも下流に設けられているため、補器の消費電力についても、燃料電池１５１から出力する電力によって賄われることに留意すべきである。
【００６５】
ここで、発電モードにおけるセルスタック１５１Ｂの温度は、化学反応及び未反応ガスの燃焼によって、発電温度として６５０〜１０００℃（７００℃程度）に維持される。このような発電温度は、すなわち、改質ガス（水素）及び空気（酸素）を得れば、積極的に化学反応が生じる温度域である。
【００６６】
ところで、燃料電池装置１５０は、完全停止させることも可能である。例えば、長期間使用しない場合などにおいては完全停止させてもよい。しかしながら、完全停止させた場合には、補器類も停止して燃料電池１５１（セルスタック１５１Ｂ）の温度が低いものとなるため、発電可能な程の温度まで上昇するために長い時間を要することとなり、負荷追従性が低いということには留意すべきである。このため、第１実施形態においては完全停止を極力回避するため、運転モードにアイドリングモードと温度維持モードとを設ける。
【００６７】
アイドリングモードは、燃料電池１５１（セルスタック１５１Ｂ）から出力する電力によって補器の消費電力を賄う動作モードである。但し、アイドリングモードでは、負荷１２０の消費電力については、燃料電池１５１から出力する電力によって賄われないことに留意すべきである。
【００６８】
ここで、アイドリングモードにおけるセルスタック１５１Ｂの温度は、化学反応及び未反応ガスの燃焼により、発電モードと同様の発電温度（例えば、７００℃程度）に維持される。すなわち、アイドリングモードにおけるセルスタック１５１Ｂの温度についても、発電モードと同様、改質ガス（水素）及び空気（酸素）を得れば、積極的に化学反応が生じる温度域である。アイドリングモードは、例えば、停電が生じた場合に適用される動作モードである。
【００６９】
温度維持モードは、補器の消費電力を外部から供給される電力によって賄うとともに、セルスタック１５１Ｂを所定温度域に維持する動作モードである。温度維持モードにおいて、補器の消費電力は、系統から供給される電力によって賄われてもよく、ＰＶ１３１又は蓄電池１４１から供給される電力によって賄われてもよい。温度維持モードにおいて、燃料電池１５１（セルスタック１５１Ｂ）から出力する電力は、少なくとも、補器の消費電力よりも小さく、アイドリングモードのように、補器を動作させるには若干及ばない程度となる。例えば、温度維持モードにおいて、燃料電池１５１（セルスタック１５１Ｂ）から電力が出力されない。
【００７０】
ここで、温度維持モードにおけるセルスタック１５１Ｂの温度は、主として、未反応ガスの燃焼によって維持される。また、温度維持モードにおけるセルスタック１５１Ｂの温度は、発電モードにおけるセルスタック１５１Ｂの温度よりも低い。同様に、温度維持モードにおけるセルスタック１５１Ｂの温度は、アイドリングモードにおけるセルスタック１５１Ｂの温度よりも低い。しかしながら、未反応ガスの燃焼により、温度維持モードにおけるセルスタック１５１Ｂの温度は、ある程度の高温（所定温度域）で維持される。
【００７１】
第１実施形態において、所定温度域は、発電温度よりも若干低く、例えば、４５０℃〜６００℃程度であって、改質ガス（水素）及び空気（酸素）を得ても、充分な化学反応が生じにくい温度域である。セルスタック１５１Ｂの温度が所定温度域である場合に、化学反応の反応スピードが不足するため、燃料電池１５１（セルスタック１５１Ｂ）から出力する電圧は、定格電圧（２００Ｖ）よりも低い。温度維持モードでは、化学反応が全く生じていなくてもよく、若干の化学反応が生じていてもよい。ただし、所定温度域は、常温よりは明らかに高い温度で維持することとなるため、発電を行う必要が生じた際にも、完全停止している状態に比して化学反応を積極的に生じさせる温度に到達するまでの時間が短く済み、必要電力を出力するまでの時間を短くする（負荷追従性が高い）こととなる。
【００７２】
また、温度維持モードにおいて燃料電池装置１５０に供給される燃料ガス量は、発電モードにおいて燃料電池装置１５０に供給される燃料ガス量よりも少ない。
【００７３】
（ネットワーク構成）
以下において、第１実施形態に係るネットワーク構成について説明する。図４は、第１実施形態に係るネットワーク構成を示す図である。
【００７４】
図４に示すように、ネットワークは、負荷１２０、ＰＶ装置１３０、蓄電池装置１４０、燃料電池装置１５０、貯湯装置１６０、ＥＭＳ２００及びユーザ端末３００によって構成される。ユーザ端末３００は、ユーザ端末３１０及びユーザ端末３２０を含む。
【００７５】
ユーザ端末３１０は、ＥＭＳ２００と接続されており、各機器（負荷１２０、ＰＶ装置１３０、蓄電池装置１４０、燃料電池装置１５０、貯湯装置１６０）の消費エネルギーを可視化するための情報（以下、可視化情報）をウェブブラウザによって表示する。このようなケースにおいて、ＥＭＳ２００は、ＨＴＭＬ等の形式で可視化情報を生成して、生成された可視化情報をユーザ端末３１０に送信する。ユーザ端末３１０とＥＭＳ２００との間の接続形式は、有線であってもよく、無線であってもよい。
【００７６】
ユーザ端末３２０は、ＥＭＳ２００と接続されており、可視化情報をアプリケーションによって表示する。このようなケースにおいて、ＥＭＳ２００は、各機器の消費エネルギーを示す情報をユーザ端末３２０に送信する。ユーザ端末３２０のアプリケーションは、ＥＭＳ２００から受信する情報に基づいて可視化情報を生成して、生成された可視化情報を表示する。ユーザ端末３２０とＥＭＳ２００との間の接続形式は、有線であってもよく、無線であってもよい。
【００７７】
上述したように、第１実施形態では、燃料電池装置１５０及び貯湯装置１６０が給湯ユニット１７０を構成する。従って、貯湯装置１６０は、ＥＭＳ２００と通信を行う機能を有していなくてもよい。このようなケースでは、燃料電池装置１５０は、貯湯装置１６０を代理して、貯湯装置１６０に関するメッセージの通信をＥＭＳ２００と行う。
【００７８】
第１実施形態において、ＥＭＳ２００と各機器（負荷１２０、ＰＶ装置１３０、蓄電池装置１４０、燃料電池装置１５０、貯湯装置１６０）との間の通信は、所定のプロトコルに従って方式で行われる。所定のプロトコルとしては、例えば、“ＥＣＨＯＮＥＴ  Ｌｉｔｅ”又は“ＥＣＨＯＮＥＴ”と呼ばれるプロトコルが挙げられる。しかしながら、実施形態は、これに限定されるものではなく、所定のプロトコルは、“ＥＣＨＯＮＥＴ  Ｌｉｔｅ”又は“ＥＣＨＯＮＥＴ”以外のプロトコルであってもよい。
【００７９】
（ＥＭＳの構成）
以下において、第１実施形態に係るＥＭＳについて説明する。図５は、第１実施形態に係るＥＭＳ２００を示すブロック図である。
【００８０】
図５に示すように、ＥＭＳ２００は、受信部２１０と、送信部２２０と、制御部２３０とを有する。
【００８１】
受信部２１０は、信号線を介して接続された装置から各種信号を受信する。例えば、受信部２１０は、ＰＶ１３１の発電量を示す情報をＰＶ装置１３０から受信してもよい。受信部２１０は、蓄電池１４１の蓄電量を示す情報を蓄電池装置１４０から受信してもよい。受信部２１０は、燃料電池１５１の発電量を示す情報を燃料電池装置１５０から受信してもよい。受信部２１０は、貯湯装置１６０の貯湯量を示す情報を貯湯装置１６０から受信してもよい。
【００８２】
第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＥＭＳ２００に記憶されていてもよい。
【００８３】
第１実施形態において、受信部２１０は、燃料電池装置１５０の燃料使用量を示すメッセージ、貯湯装置１６０の燃料使用量を示すメッセージ、又は、燃料電池装置１５０の燃料使用量及び貯湯装置１６０の燃料使用量の合算値を示すメッセージを給湯ユニット１７０（実施形態では、燃料電池装置１５０の制御基板１５６）から受信する。言い換えると、燃料電池装置１５０の制御基板１５６は、上述したメッセージを送信する送信部を構成する。
【００８４】
ここで、燃料電池装置１５０の燃料使用量を示すメッセージ及び貯湯装置１６０の燃料使用量を示すメッセージは、互いに別々のフォーマットで定義される。また、燃料電池装置１５０の燃料使用量を示すメッセージ及び貯湯装置１６０の燃料使用量を示すメッセージは、燃料電池装置１５０の燃料使用量及び貯湯装置１６０の燃料使用量の合算値を示すメッセージとは別に定義される。
【００８５】
第１実施形態において、受信部２１０は、燃料電池装置１５０の燃料使用量を示すメッセージ及び貯湯装置１６０の燃料使用量を示すメッセージの受信に先立って、燃料電池装置１５０の燃料使用量を示すメッセージ及び貯湯装置１６０の燃料使用量を示すメッセージを送信する機能の有無を示すメッセージを給湯ユニット１７０から受信する。
【００８６】
例えば、受信部２１０は、燃料電池装置１５０の燃料使用量を示すメッセージ及び貯湯装置１６０の燃料使用量を示すメッセージを送信する機能が設けられている場合に、燃料電池装置１５０の燃料使用量を示すメッセージ及び貯湯装置１６０の燃料使用量を示すメッセージを別々のフォーマットで受信する。一方で、受信部２１０は、燃料電池装置１５０の燃料使用量を示すメッセージ及び貯湯装置１６０の燃料使用量を示すメッセージを送信する機能が設けられていない場合に、燃料電池装置１５０の燃料使用量及び貯湯装置１６０の燃料使用量の合算値を示すメッセージを受信する。
【００８７】
第１実施形態において、受信部２１０は、上述したメッセージを給湯ユニット１７０から受信するが、実施形態は、これに限定されるものではない。例えば、受信部２１０は、燃料電池装置１５０の燃料使用量を示すメッセージを燃料電池装置１５０から受信し、貯湯装置１６０の燃料使用量を示すメッセージを貯湯装置１６０から受信してもよい。或いは、受信部２１０は、燃料電池装置１５０及び貯湯装置１６０のいずれか一方から上述したメッセージを受信してもよい。
【００８８】
送信部２２０は、信号線を介して接続された装置に各種信号を送信する。例えば、送信部２２０は、ＰＶ装置１３０、蓄電池装置１４０、燃料電池装置１５０及び貯湯装置１６０を制御するための信号を各装置に送信する。送信部２２０は、負荷１２０を制御するための制御信号を負荷１２０に送信する。
【００８９】
第１実施形態において、送信部２２０は、燃料電池装置１５０の燃料使用量を示すメッセージ、貯湯装置１６０の燃料使用量を示すメッセージ、又は、燃料電池装置１５０の燃料使用量及び貯湯装置１６０の燃料使用量の合算値を示すメッセージを要求するメッセージを給湯ユニット１７０（実施形態では、燃料電池装置１５０の制御基板１５６）に送信する。
【００９０】
第１実施形態において、送信部２２０は、燃料電池装置１５０の燃料使用量を示すメッセージ及び貯湯装置１６０の燃料使用量を示すメッセージの受信に先立って、燃料電池装置１５０の燃料使用量を示すメッセージ及び貯湯装置１６０の燃料使用量を示すメッセージを送信する機能の有無を示すメッセージを要求するメッセージを給湯ユニット１７０に送信する。
【００９１】
制御部２３０は、負荷１２０、ＰＶ装置１３０、蓄電池装置１４０、燃料電池装置１５０及び貯湯装置１６０を制御する。
【００９２】
第１実施形態において、制御部２３０は、燃料電池装置１５０の動作モードを燃料電池装置１５０に指示する。第１実施形態において、燃料電池装置１５０の動作モードは、上述したように、発電モード（負荷追従制御）、アイドリングモード及び温度維持モードを含む。
【００９３】
燃料電池１５１（セルスタック１５１Ｂ）から出力する電力が所定閾値を上回る場合に、制御部２３０は、燃料電池装置１５０を発電モードで運転するよう制御する。一方、制御部２３０は、例えば、燃料電池１５１（セルスタック１５１Ｂ）から出力する電力が所定閾値を下回る場合に、温度維持モードで運転するよう燃料電池装置１５０を制御する。また、制御部２３０は、例えば、停電が生じた場合には、アイドリングモードで運転するよう燃料電池装置１５０を制御する。
【００９４】
（メッセージフォーマット）
以下において、第１実施形態に係るメッセージフォーマットについて説明する。図６及び図７は、第１実施形態のメッセージフォーマットの一例を示す図である。
【００９５】
例えば、燃料電池装置１５０の燃料使用量を示すメッセージ、貯湯装置１６０の燃料使用量を示すメッセージ、及び、燃料電池装置１５０の燃料使用量及び貯湯装置１６０の燃料使用量の合算値を示すメッセージは、図６に示すフォーマットを有する。図６に示すように、メッセージは、メッセージ種別のフィールド及び燃料使用量のフィールドを有する。
【００９６】
メッセージ種別のフィールドは、メッセージの種別を示しており、第１実施形態では、メッセージが燃料使用量を含むことを示している。メッセージ種別のフィールドは、各メッセージに共通している。
【００９７】
燃料使用量のフィールドは、燃料の使用量を示す。図６に示すケースでは、燃料電池装置１５０の燃料使用量、貯湯装置１６０の燃料使用量及び燃料電池装置１５０の燃料使用量及び貯湯装置１６０の燃料使用量の合算値は、互いに異なるコード空間を用いて表される。従って、ＥＭＳ２００は、燃料使用量のフィールドのコード空間を参照することによって、燃料電池装置１５０の燃料使用量、貯湯装置１６０の燃料使用量及び合算値のいずれをメッセージが含むのかを特定することができる。
【００９８】
或いは、燃料電池装置１５０の燃料使用量を示すメッセージ、貯湯装置１６０の燃料使用量を示すメッセージ、及び、燃料電池装置１５０の燃料使用量及び貯湯装置１６０の燃料使用量の合算値を示すメッセージは、図７に示すフォーマットを有する。図７に示すように、メッセージは、機器を種別するフィールド、メッセージ種別のフィールド及び燃料使用量のフィールドを有する。
【００９９】
機器を種別するフィールドは、燃料電池装置１５０の燃料使用量、貯湯装置１６０の燃料使用量及び合算値のいずれをメッセージが含むのかを示している。
【０１００】
メッセージ種別のフィールドは、メッセージの種別を示しており、第１実施形態では、メッセージが燃料使用量を含むことを示している。メッセージ種別のフィールドは、各メッセージに共通している。
【０１０１】
燃料使用量のフィールドは、燃料の使用量を示す。図７に示すケースでは、燃料使用量のフィールドのコード空間は、各メッセージに共通している。
【０１０２】
（管理方法）
以下において、第１実施形態に係る管理方法について説明する。図８は、第１実施形態の管理方法を示すシーケンス図である。
【０１０３】
図８に示すように、ステップ１０において、ＥＭＳ２００は、給湯ユニット１７０に対して、給湯ユニット１７０が対応するコード群を要求するメッセージ（コード群要求）を送信する。コード群要求は、燃料電池装置１５０の燃料使用量を示すメッセージ及び貯湯装置１６０の燃料使用量を示すメッセージを送信する機能の有無を示すメッセージを要求するメッセージの一例である。
【０１０４】
ステップ２０において、給湯ユニット１７０は、ＥＭＳ２００に対して、給湯ユニット１７０が対応するコード群を示すメッセージ（コード群応答）を送信する。コード群応答は、燃料電池装置１５０の燃料使用量を示すメッセージ及び貯湯装置１６０の燃料使用量を示すメッセージを送信する機能の有無を示すメッセージの一例である。
【０１０５】
ステップ３０において、ＥＭＳ２００は、給湯ユニット１７０に対して、燃料電池装置１５０の燃料使用量を要求するメッセージ（使用量要求）を送信する。
【０１０６】
ステップ４０において、給湯ユニット１７０は、ＥＭＳ２００に対して、燃料電池装置１５０の燃料使用量を示すメッセージ（使用量応答）を送信する。
【０１０７】
但し、ステップ３０及びステップ４０の処理は、燃料電池装置１５０の燃料使用量を示すメッセージ及び貯湯装置１６０の燃料使用量を示すメッセージを送信する機能を給湯ユニット１７０が有している場合に行われる。
【０１０８】
ステップ５０において、ＥＭＳ２００は、給湯ユニット１７０に対して、貯湯装置１６０の燃料使用量を要求するメッセージ（使用量要求）を送信する。
【０１０９】
ステップ６０において、給湯ユニット１７０は、ＥＭＳ２００に対して、貯湯装置１６０の燃料使用量を示すメッセージ（使用量応答）を送信する。
【０１１０】
但し、ステップ５０及びステップ６０の処理は、燃料電池装置１５０の燃料使用量を示すメッセージ及び貯湯装置１６０の燃料使用量を示すメッセージを送信する機能を給湯ユニット１７０が有している場合に行われる。
【０１１１】
ステップ７０において、ＥＭＳ２００は、給湯ユニット１７０に対して、燃料電池装置１５０の燃料使用量及び貯湯装置１６０の燃料使用量の合算値を要求するメッセージ（使用量要求）を送信する。
【０１１２】
ステップ８０において、給湯ユニット１７０は、ＥＭＳ２００に対して、燃料電池装置１５０の燃料使用量及び貯湯装置１６０の燃料使用量の合算値を示すメッセージ（使用量応答）を送信する。
【０１１３】
但し、ステップ７０及びステップ８０の処理は、燃料電池装置１５０の燃料使用量を示すメッセージ及び貯湯装置１６０の燃料使用量を示すメッセージを送信する機能を給湯ユニット１７０が有していない場合に行われることが好ましい。但し、ステップ７０及びステップ８０の処理は、燃料電池装置１５０の燃料使用量を示すメッセージ及び貯湯装置１６０の燃料使用量を示すメッセージを送信する機能を給湯ユニット１７０が有する場合に行われてもよい。
【０１１４】
或いは、ＥＭＳ２００は、給湯ユニット１７０に対する一度のメッセージの送信によって、燃料電池装置１５０の燃料使用量、貯湯装置１６０の燃料使用量、及び、燃料電池装置１５０の燃料使用量及び貯湯装置１６０の燃料使用量の合算値を要求してもよい。
【０１１５】
以上説明したように、第1実施形態では、燃料電池装置１５０の燃料使用量を示すメッセージと貯湯装置１６０の燃料使用量を示すメッセージとが別々のフォーマットで定義されている。従って、機器の消費エネルギーの可視化において、有用な情報をＥＭＳ２００が収集することができる。また、燃料電池装置１５０及び貯湯装置１６０の制御において、有用な情報をＥＭＳ２００が収集することができる。
【０１１６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１７】
例えば、系統停電中にはアイドリングモードで運転するとしたが、仮に負荷での電力需要があるならば、補器についての電力供給を燃料電池１５１自身で行うだけでなく、燃料電池装置１５０に接続された負荷での需要に見合う出力電力が得られるよう燃料電池１５１の出力を上げる自立運転モードとしてもよい。すなわち、自立運転モードとアイドリングモードとは、発電電力の外部出力を行うか否かという点では相違するものの、系統停電中には補器への給電を自己発電で賄うという点では共通する。このため、系統停電中には補器への給電を自己発電で賄う２つのモードのことを便宜上、自給モードと呼んでもよい。
【０１１８】
また、温度維持モードでは系統からの電力供給により補器類の消費電力を賄うとしたが、ＰＶ装置１３０か蓄電池装置１４０などの出力から賄ってもよい。
【０１１９】
また、燃料電池装置の燃料使用量を示すメッセージと貯湯装置の燃料使用量を示すメッセージとを別々のフォーマットで定義する旨を説明したが、これに他の情報をさらに加えてもよい。すなわち、例えば燃料発電装置の種別が燃料電池装置であること、特にＳＯＦC方式であること、などの燃料発電装置の種別に関する情報を定義することが出来るフィールドをフォーマット上に設定してもよい。さらには燃料を消費した時における燃料発電装置（燃料電池）の運転モード、例えば自立運転モード、アイドリングモード、温度維持モードなどといったモードの種別を定義することが出来るフィールドをフォーマット上に設定してもよい。
【０１２０】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【０１２１】
実施形態では、需要家１０は、負荷１２０、ＰＶ装置１３０、蓄電池装置１４０、燃料電池装置１５０及び貯湯装置１６０を有する。しかしながら、需要家１０は、少なくとも、燃料電池装置１５０及び貯湯装置１６０を有していればよい。
【０１２２】
実施形態では特に触れていないが、給湯ユニット１７０の初期設定を行うタイミング、停電から復旧したタイミング、給湯ユニット１７０の電源が投入されたタイミング、ＥＭＳ２００の電源が投入されたタイミング、給湯ユニット１７０の設定を確認する必要が生じたタイミングにおいて、コード群要求及びコード群応答の送受信が行われることが好ましい。
【符号の説明】
【０１２３】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５１Ａ…改質器、１５１Ｂ…セルスタック、１５２…ＰＣＳ、１５３…ブロワ、１５４…脱硫器、１５５…着火ヒータ、１５６…制御基板、１６０…貯湯ユニット、１７０…給湯ユニット、１８０…電流計、２００…ＥＭＳ、２１０…受信部、２２０…送信部、２３０…制御部、３００、３１０、３２０…ユーザ端末
【図１】
2014032940.tif 000003
【図２】
2014032940.tif 000004
【図３】
2014032940.tif 000005
【図４】
2014032940.tif 000006
【図５】
2014032940.tif 000007
【図６】
2014032940.tif 000008
【図７】
2014032940.tif 000009
【図８】
2014032940.tif 000010